(57)【特許請求の範囲】
【請求項１】
一つの第１セル；及び
前記第１セルの一面に積層されて前記第１セルより小さな幅を有する複数個の第２セルを含み、
前記複数個の第２セルが前記第１セルの前記一面の範囲内において、前記第１セルの前記一面に対して水平方向に互いに離隔して形成されていることを特徴とするステップドバッテリー。
【請求項２】
互いに離隔して位置される前記第２セルの間に離隔空間が形成されることを特徴とする請求項１に記載のステップドバッテリー。
【請求項３】
前記複数個の第２セルは、それぞれの大きさ及び重さが互いに同一であることを特徴とする請求項１に記載のステップドバッテリー。
【請求項４】
前記第１セルまたは前記第２セルは、角部分がラウンド状であることを特徴とする請求項１に記載のステップドバッテリー。
【請求項５】
前記離隔空間に保護回路モジュール（Ｐｒｏｔｅｃｔｉｏｎ  Ｃｉｒｃｕｉｔ  Ｍｏｄｕｌｅ、ＰＣＭ）または回路ボード（ｂｏａｒｄ）が位置されることを特徴とする請求項２に記載のステップドバッテリー。
【請求項６】
前記第２セルの高さは、前記保護回路モジュール及び前記回路ボードの高さ以上であることを特徴とする請求項５に記載のステップドバッテリー。
【請求項７】
前記保護回路モジュールまたは前記回路ボードの大きさは、前記離隔空間の大きさに対応する大きさを有することを特徴とする請求項５に記載のステップドバッテリー。
【発明の詳細な説明】
【技術分野】
【０００１】
本発明は、ステップドバッテリーに関し、システム内部空間の活用度を高めることができるステップドバッテリーに関する。
【背景技術】
【０００２】
本出願は、２０１５年３月１６日付韓国特許出願第１０−２０１５−００３６１１０号に基づいた優先権の利益を主張し、当該韓国特許出願の文献に開示されている全ての内容は本明細書の一部として含まれる。
【０００３】
最近になって各種の電子製品の形状が多様化され、かつ、小型化、スリム化されるに伴い、従前の直方体形状のバッテリーでは、多様化された形状と小型化及びスリム化された電子製品の内部空間を効率よく用いることができなくなった。
【０００４】
これに伴い、電子製品の内部にバッテリーが収容される空間の形状に合わせて、バッテリーの形状も直方体の形状から脱して多様な形状に製造されているところ、そのうち一つがステップドバッテリー（Ｓｔｅｐｐｅｄ  Ｂａｔｔｅｒｙ）である。
【０００５】
下記先行技術文献（韓国公開特許第１０−２０１５−０００７９７１号公報）には、このようなステップドバッテリーの一例が詳しく説明されている。
【０００６】
ところが、従来のステップドバッテリーでは、システム内の多様な形状の空間に合わせられるようステップドバッテリーの形状が最適に具現できていなかったので問題になった。
【０００７】
さらに、保護回路モジュール（Ｐｒｏｔｅｃｔｉｏｎ  Ｃｉｒｃｕｉｔ  Ｍｏｄｕｌｅ、ＰＣＭ）またはその他の回路ボード（ｂｏａｒｄ）が必須的に用いられなければならない場合が多いところ、このとき、これらの配置のためには別途に空間が必要なので、制限された空間で効率よく配置できないという問題が発生した。
【先行技術文献】
【特許文献】
【０００８】
【特許文献１】韓国公開特許第１０−２０１５−０００７９７１号公報
【発明の概要】
【発明が解決しようとする課題】
【０００９】
したがって、本発明は、前記のような問題を解決するために案出されたものであって、本発明の課題は、システム内部空間の活用度を最大化させて最適化されたバッテリーの形状を具現することができるステップドバッテリーを提供することである。
【課題を解決するための手段】
【００１０】
本発明に係るステップドバッテリーは、第１セル、及び第１セルの一面に積層されて第１セルより小さな幅を有する複数個の第２セルを含み、第２セルは互いに離隔して位置される。
【発明の効果】
【００１１】
本発明に係るステップドバッテリーは、第１セル、及び第１セルの一面に積層されて第１セルより小さな幅を有する複数個の第２セルを含み、第２セルは互いに離隔して位置されることにより、システム内部空間の活用度を最大化させて最適化されたバッテリーの形状を具現することができる。
【図面の簡単な説明】
【００１２】
【図１】本発明の実施例１に係るステップドバッテリーを示す斜視図である。
【図２】本発明の実施例１に係るステップドバッテリーを示す正面図である。
【図３】本発明の実施例１に係るステップドバッテリーを示す側面図である。
【図４】本発明の実施例２に係るステップドバッテリーを示す正面図である。
【図５】本発明の実施例３に係るステップドバッテリーを示す正面図である。
【図６】本発明の実施例３に係るステップドバッテリーを示す平面図である。
【発明を実施するための形態】
【００１３】
以下では、図面を参照しながら本発明の好ましい実施形態を詳しく説明する。ところが、本発明が以下の実施形態によって制限されるか限定されるものではない。
【００１４】
（実施例１）
【００１５】
図１は、本発明の実施例１に係るステップドバッテリーを示す斜視図である。図２は、本発明の実施例１に係るステップドバッテリーを示す正面図である。図３は、本発明の実施例１に係るステップドバッテリーを示す側面図である。
【００１６】
以下では、図１から図３を参照しながら、本発明の実施例１に係るステップドバッテリーについて説明する。
【００１７】
本発明の実施例１に係るステップドバッテリー１００は、第１セル１１０及び第２セル１３０を含む。
【００１８】
第１セル１１０は、ベースをなすセルであってよい。また、第１セル１１０は、下記で説明される第２セル１３０より下層に位置されるセルであってよい。
【００１９】
第２セル１３０は、第１セル１１０より小さな幅を有し、第１セルの一面１１１上に積層される形態を有することができる。第２セル１３０は、第１セルの一面１１１上に配置される複数個の第２セル１３０からなり得る。
【００２０】
図１から図３では、第１セルの一面１１１、即ち、第１セルの上部面上に配置された二つの第２セル１３０が示されている。便宜上、図２を基準に左側の方にある第２セルを左側第２セル１３１に、右側の方にある第２セルを右側第２セル１３３に名付けることができる。
【００２１】
本発明の実施例１に係るステップドバッテリー１００において、第２セル１３０は、第１セルの一面１１１上で互いに離隔して位置されてよい。図２に示す通り、第２セル１３０は、左右に互いに離隔して位置される左側第２セル１３１と右側第２セル１３３を含むことができる。
【００２２】
さらに、このように互いに離隔して位置される第２セル１３０等の間には離隔空間（Ｓ）が形成されてよい。図１及び図２には、左側第２セル１３１と右側第２セル１３３の間に形成された離隔空間（Ｓ）が示されている。
【００２３】
本発明の実施例１に係るステップドバッテリー１００で第２セル１３０がこのような形態に離隔して配置されると、システム内部空間の活用度を最大化させることができるようになる。
【００２４】
例えば、ステップドバッテリー１００の中央部内側に突出される突出部（図示省略）を有するシステムの内部にステップドバッテリー１００を挿入しなければならない場合、本発明の実施例１に係るステップドバッテリー１００で離隔空間（Ｓ）がかかる突出部を収容することができる。それに伴い、システム内部空間が余剰空間なく最大に活用できるので、空間の活用度が最大化され得る。
【００２５】
一方、図１及び図２に示す通り、第１セル１１０または第２セル１３０の少なくともいずれか一つ以上の角部分１５０はラウンド状に形成されてよい。このように角部分１５０をラウンド状にする場合、システム内部の構造物がさらに保護され得る。
【００２６】
もし角部分１５０が尖ったような場合、システムの内部構成物が毀損されるか、内部構成物に引かきが発生し得る。さらに、尖ったような角は、ステップドバッテリー１００の取り扱い者に傷つけるか取り扱い装置を毀損させる恐れもある。
【００２７】
そして、本発明の実施例１に係るステップドバッテリー１００では、複数個の第２セル１３０のそれぞれの大きさ及び重さが互いに同一であるような構成を有してよい。この場合、第１セル１１０の互いに異なる部分（左側及び右側）に働く圧力が同一なので、均衡取れた電池の構成をなすことができる。
【００２８】
つまり、左右側の第２セル１３１、１３３の大きさ及び重さが互いに異なって、第１セル１１０の左右側に働く圧力が互いに異なる場合、力の均衡が崩れて第１セル１１０が奇形的な形状に変形され得る。
【００２９】
さらに、大きい圧力が働く方から小さな圧力が働く方へセルの内部構成物が移動すれば、電池の異常な作動がもたらされることもあり得る。
【００３０】
（実施例２）
【００３１】
図４は、本発明の実施例２に係るステップドバッテリーを示す正面図である。
【００３２】
本発明の実施例２に係るステップドバッテリーは、前述した実施例１に係るステップドバッテリーに似た構成を有する。ただし、実施例２は、保護回路モジュールがさらに備えられるという点で実施例１との違いがある。
【００３３】
参考として、前述の構成と同一な（または相当する）部分に対しては同一な（または相当する）図面符号を与え、それに対する詳細な説明は省略する。
【００３４】
以下では、図４を参照しながら、本発明の実施例２に係るステップドバッテリーに対して説明する。
【００３５】
図４に示す通り、本発明の実施例２に係るステップドバッテリー２００は、離隔空間（Ｓ）に保護回路モジュール（Ｐｒｏｔｅｃｔｉｏｎ  Ｃｉｒｃｕｉｔ  Ｍｏｄｕｌｅ、ＰＣＭ）２８０が位置されてよい。もちろん、離隔空間（Ｓ）に配置される構成が保護回路モジュール２８０に制限されるものではなく、その他の回路ボード（ｂｏａｒｄ）が位置されてもよい。
【００３６】
このように離隔空間（Ｓ）内に配置される保護回路モジュール２８０は、ステップドバッテリー２００が挿入されるシステム内で別に空間を占めることなくバッテリーに取り付けられ得るので、システム内部空間を最小化することができ、空間をさらに効率よく用いることができるようになる。
【００３７】
さらに、本発明の実施例２に係るステップドバッテリー２００では、保護回路モジュール２８０の高さ（Ｊ）が第２セル１３０の段差のある高さ（Ｈ）と同じであるかさらに低いことがある。つまり、換言すれば、第２セル１３０の高さ（Ｈ）が保護回路モジュール２８０の高さ（Ｊ）以上であってよい。このような方式で保護回路モジュール２８０が構成を有する場合、外部の物体から保護回路モジュール２８０が保護され得る。
【００３８】
これは、戦争時に塹壕の中に隠れた軍人が飛んで来る弾から保護を受けることができることに似た原理であって、左側第２セル１３１と右側第２セル１３３の間で湾入された形状の離隔空間（Ｓ）内に保護回路モジュール２８０が配置されることにより、外部の物体から保護回路モジュール２８０が保護され得る。
【００３９】
（実施例３）
【００４０】
図５は、本発明の実施例３に係るステップドバッテリーを示す正面図である。図６は、本発明の実施例３に係るステップドバッテリーを示す平面図である。
【００４１】
本発明の実施例３に係るステップドバッテリーは、前述した実施例１に係るステップドバッテリーに似た構成を有する。ただし、実施例３は、回路ボードがさらに備えられるという点で実施例１との違いがある。
【００４２】
参考までに、前述した構成と同一な（または相当する）部分に対しては同一な（または相当する）図面符号を与え、それに対する詳細な説明は省略する。
【００４３】
以下では、図５及び図６を参照しながら、本発明の実施例３に係るステップドバッテリーに対して説明する。
【００４４】
図５及び図６に示す通り、本発明の実施例３に係るステップドバッテリー３００は、離隔空間（Ｓ）に回路ボード（ｂｏａｒｄ）３８０が位置されてよい。もちろん、離隔空間（Ｓ）に配置される構成が回路ボード３８０に制限されるものではなく、保護回路モジュールなどが位置されてもよい。
【００４５】
このとき、回路ボード３８０の大きさは、離隔空間（Ｓ）の大きさに対応する大きさを有することができる。特に、図５及び図６に示す通り、回路ボード３８０は離隔空間（Ｓ）の大きさにぴったり合う大きさを有するようにする構成を有することができる。この場合、別に回路ボード３８０を固定する装置がなくとも、回路ボード３８０は摩擦によってステップドバッテリー３００から分離されることがなく、このような方式でステップドバッテリー３００が一体型の構成を有することができる。
【００４６】
さらに、このように離隔空間（Ｓ）を埋めるよう回路ボード３８０が取り付けられる場合、外部ケース３９０に皺がよるか段差ができずに偏平に維持できるので、外観上及び実用的な測面でさらに向上したバッテリーを具現することができる。
【図１】
0006623222.tif 000002
【図２】
0006623222.tif 000003
【図３】
0006623222.tif 000004
【図４】
0006623222.tif 000005
【図５】
0006623222.tif 000006
【図６】
0006623222.tif 000007